(57)【要約】【課題】正確に正しいスロットを選択し、通信品質及びスループットの向上を図る。【解決手段】各スロット毎に受信したデータに含まれる情報符号系列に対応するＣＲＣ符号系列を取得するＣＲＣ符号系列取得手段と、受信したデータに含まれるＣＲＣ符号系列と取得されたＣＲＣ符号系列との信号距離を算出する第１の信号距離算出手段と、受信したデータに含まれるＣＲＣ符号系列に対応する情報符号系列を取得する情報符号系列取得手段と、受信したデータに含まれる情報符号系列と取得された情報符号系列との信号距離を算出する第２の信号距離算出手段と、ＣＲＣ符号系列に関する信号距離と情報符号系列に関する信号距離とを各スロット毎にそれぞれ比較し、値の小さい信号距離を当該スロットの信号距離と決定する決定手段と、当該信号距離が最も小さいスロットを介して受信したデータを受信データとして選択する選択手段とを備える。【選択図】図２
2008109537.tif 000002
【特許請求の範囲】
【請求項１】
時分割多重接続方式を採用し、同一のデータに複数のスロットを割り当てて通信を行い、各スロットを介して受信したデータのいずれか１つを受信データとして選択する無線通信システムにおいて、
前記データに含まれる情報符号系列とＣＲＣ(Cyclic Redundancy Check)符号系列との対応関係の全ての組み合わせを示すデータ系列情報を予め記憶する記憶手段と、
前記各スロット毎に前記データを受信する受信手段と、
前記データ系列情報に基づいて、前記各スロット毎に受信したデータに含まれる情報符号系列に対応するＣＲＣ符号系列を取得するＣＲＣ符号系列取得手段と、
前記各スロット毎に受信したデータに含まれるＣＲＣ符号系列と前記ＣＲＣ符号系列取得手段によって取得されたＣＲＣ符号系列との信号距離を算出する第１の信号距離算出手段と、
前記データ系列情報に基づいて、前記各スロット毎に受信したデータに含まれるＣＲＣ符号系列に対応する情報符号系列を取得する情報符号系列取得手段と、
前記各スロット毎に受信したデータに含まれる情報符号系列と前記情報符号系列取得手段によって取得された情報符号系列との信号距離を算出する第２の信号距離算出手段と、
前記第１の信号距離算出手段によって各スロット毎に算出されたＣＲＣ符号系列に関する信号距離と、前記第２の信号距離算出手段によって各スロット毎に算出された情報符号系列に関する信号距離とを各スロット毎にそれぞれ比較し、値の小さい信号距離を当該スロットの信号距離と決定する決定手段と、
前記決定手段によって決定された各スロットの信号距離に基づき、当該信号距離が最も小さいスロットを介して受信したデータを受信データとして選択する選択手段と、
を備えることを特徴とする無線通信システム。
【請求項２】
前記情報符号系列取得手段は、前記各スロット毎に受信したデータに含まれるＣＲＣ符号系列に対応する情報符号系列が複数存在する場合、当該複数の情報符号系列を取得し、
前記第２の信号距離算出手段は、前記各スロット毎に受信したデータに含まれる情報符号系列と前記情報符号系列取得手段によって取得された複数の情報符号系列との信号距離をそれぞれ算出し、最も小さい信号距離を情報符号系列に関する信号距離とする、
ことを特徴とする請求項１記載の無線通信システム。
【請求項３】
前記信号距離はハミング距離であることを特徴とする請求項１または２に記載の無線通信システム。
【請求項４】
前記選択手段は、各スロット毎に受信したデータの誤り状態を判別し、全てのデータが同一の誤り状態であった場合に、前記信号距離が最も小さいスロットを介して受信したデータを受信データとして選択する、
ことを特徴とする請求項１〜３のいずれか一項に記載の無線通信システム。
【請求項５】
前記選択手段は、各スロット毎に受信したデータに含まれるユニークワード及びＣＲＣ符号系列に基づいて、前記データの誤り状態を判別する、
ことを特徴とする請求項４に記載の無線通信システム。
【請求項６】
時分割多重接続方式を採用し、同一のデータに複数のスロットを割り当てて通信を行い、各スロットを介して受信したデータのいずれか１つを受信データとして選択する無線通信装置において、
前記データに含まれる情報符号系列とＣＲＣ(Cyclic Redundancy Check)符号系列との対応関係の全ての組み合わせを示すデータ系列情報を予め記憶する記憶手段と、
前記各スロット毎に前記データを受信する受信手段と、
前記データ系列情報に基づいて、前記各スロット毎に受信したデータに含まれる情報符号系列に対応するＣＲＣ符号系列を取得するＣＲＣ符号系列取得手段と、
前記各スロット毎に受信したデータに含まれるＣＲＣ符号系列と前記ＣＲＣ符号系列取得手段によって取得されたＣＲＣ符号系列との信号距離を算出する第１の信号距離算出手段と、
前記データ系列情報に基づいて、前記各スロット毎に受信したデータに含まれるＣＲＣ符号系列に対応する情報符号系列を取得する情報符号系列取得手段と、
前記各スロット毎に受信したデータに含まれる情報符号系列と前記情報符号系列取得手段によって取得された情報符号系列との信号距離を算出する第２の信号距離算出手段と、
前記第１の信号距離算出手段によって各スロット毎に算出されたＣＲＣ符号系列に関する信号距離と、前記第２の信号距離算出手段によって各スロット毎に算出された情報符号系列に関する信号距離とを各スロット毎にそれぞれ比較し、値の小さい信号距離を当該スロットの信号距離と決定する決定手段と、
前記決定手段によって決定された各スロットの信号距離に基づき、当該信号距離が最も小さいスロットを介して受信したデータを受信データとして選択する選択手段と、
を備えることを特徴とする無線通信装置。
【請求項７】
前記情報符号系列取得手段は、前記各スロット毎に受信したデータに含まれるＣＲＣ符号系列に対応する情報符号系列が複数存在する場合、当該複数の情報符号系列を取得し、
前記第２の信号距離算出手段は、前記各スロット毎に受信したデータに含まれる情報符号系列と前記情報符号系列取得手段によって取得された複数の情報符号系列との信号距離をそれぞれ算出し、最も小さい信号距離を情報符号系列に関する信号距離とする、
ことを特徴とする請求項６記載の無線通信装置。
【請求項８】
前記信号距離はハミング距離であることを特徴とする請求項６または７に記載の無線通信装置。
【請求項９】
前記選択手段は、各スロット毎に受信したデータの誤り状態を判別し、全てのデータが同一の誤り状態であった場合に、前記信号距離が最も小さいスロットを介して受信したデータを受信データとして選択する、
ことを特徴とする請求項６〜８のいずれか一項に記載の無線通信装置。
【請求項１０】
前記選択手段は、各スロット毎に受信したデータに含まれるユニークワード及びＣＲＣ符号系列に基づいて、前記データの誤り状態を判別する、
ことを特徴とする請求項９に記載の無線通信装置。
【請求項１１】
時分割多重接続方式を採用し、同一のデータに複数のスロットを割り当てて通信を行い、各スロットを介して受信したデータのいずれか１つを受信データとして選択する無線通信方法において、
前記データに含まれる情報符号系列とＣＲＣ(Cyclic Redundancy Check)符号系列との対応関係の全ての組み合わせを示すデータ系列情報を予め記憶する記憶ステップと、
前記各スロット毎に前記データを受信する受信ステップと、
前記データ系列情報に基づいて、前記各スロット毎に受信したデータに含まれる情報符号系列に対応するＣＲＣ符号系列を取得するＣＲＣ符号系列取得ステップと、
前記各スロット毎に受信したデータに含まれるＣＲＣ符号系列と前記ＣＲＣ符号系列取得ステップによって取得されたＣＲＣ符号系列との信号距離を算出する第１の信号距離算出ステップと、
前記データ系列情報に基づいて、前記各スロット毎に受信したデータに含まれるＣＲＣ符号系列に対応する情報符号系列を取得する情報符号系列取得ステップと、
前記各スロット毎に受信したデータに含まれる情報符号系列と前記情報符号系列取得ステップによって取得された情報符号系列との信号距離を算出する第２の信号距離算出ステップと、
前記第１の信号距離算出ステップによって各スロット毎に算出されたＣＲＣ符号系列に関する信号距離と、前記第２の信号距離算出ステップによって各スロット毎に算出された情報符号系列に関する信号距離とを各スロット毎にそれぞれ比較し、値の小さい信号距離を当該スロットの信号距離と決定する決定ステップと、
前記決定ステップによって決定された各スロットの信号距離に基づき、当該信号距離が最も小さいスロットを介して受信したデータを受信データとして選択する選択ステップと、
を有することを特徴とする無線通信方法。
【発明の詳細な説明】
【技術分野】
【０００１】
本発明は、無線通信システム、無線通信装置及び無線通信方法に関する。
【背景技術】
【０００２】
周知のように、無線通信方式の１つである時分割多重接続方式（ＴＤＭＡ：Time Division Multiple Access)とは、無線キャリアを一定の時間周期（この１周期分をフレームという）で複数のスロットと呼ばれる単位に分割し、通信を行う各ユーザにそれぞれ異なるスロットを通信チャネルとして割り当てる方式である（下記特許文献１参照）。このＴＤＭＡ方式では、複信方式として、下り回線と上り回線との通信周波数が異なる周波数分割複信方式（ＦＤＤ：Frequency Division Duplex）、または下り回線と上り回線との通信周波数が同一である時分割複信方式（ＴＤＤ：Time Division Duplex）が採用されている。
【０００３】
このようなＴＤＭＡ方式を使用して通信を行う基地局及び無線通信端末から構成される無線通信システムにおいて、通信品質を確保する技術の１つとして、スロットダイバーシチが知られている。このスロットダイバーシチとは、基地局と１つの端末との間で通常１つのスロットを用いて通信を行うところを、送信側は同一のデータを２つのスロットを用いて送信し、受信側は受信した２つのスロットのデータの内、誤り状態の良い方のスロットのデータを選択する方法である。
【０００４】
以下、スロットダイバーシチにおけるスロットの選択方法の一例を図５を用いて説明する。図５（ａ）において、第１ＴＣＨとは、スロットダイバーシチを適用した通信に用いる２つのスロット（トラフィックチャネル用のスロット）のうち一方のスロットであり、第２ＴＣＨとは他方のスロットである。また、ＵＷはユニークワードを示し、ＣＲＣ(Cyclic Redundancy Check)は巡回冗長検査符号を示す。例えば、第１ＴＣＨの誤り状態が「ＵＷ（○）／ＣＲＣ（○）」の場合、つまりＵＷ及びＣＲＣ共に正常なフレームであり、一方、第２ＴＣＨの誤り状態が「ＵＷ（○）／ＣＲＣ（×）」の場合、つまりＵＷは正常であるがＣＲＣはエラーのフレームであった場合、第１ＴＣＨを選択する。
【０００５】
図５（ａ）のようなスロット選択方法は、図５（ｂ）に示す優先順位に基づいて設定されている。すなわち、図５（ｂ）に示すように、ＣＲＣエラーの無いスロットが優先順位が高く、両方のスロット共にＣＲＣエラーが無い場合は、ＵＷエラーの有り無しで優先順位を決定する。また、図５（ａ）に示すように、両方のスロットの誤り状態が同じ場合、どちらか一方のスロットを任意に選択することになるが、その場合、図５（ｂ）に示すＲＳＳＩ（Received Signal Strength Indicator）レベルに基づいてスロットを選択する。
【特許文献１】特開２００１−１３６５７０号公報
【発明の開示】
【発明が解決しようとする課題】
【０００６】
上記のように、第１ＴＣＨと第２ＴＣＨの誤り状態が同じ場合、ＲＳＳＩレベルに基づいてどちらか一方のスロットを選択することになる。この場合、第１ＴＣＨと第２ＴＣＨのＲＳＳＩレベルが大きく異なる場合には、ＲＳＳＩレベルが大きい方に誤りが集中すると考えられるが、ＲＳＳＩレベルにほとんど差がない場合には、ＲＳＳＩレベルだけではどちらのスロットの方が誤りが少ないデータであるかを判別することができないため、正確に正しいスロットを選択することができなかった。その結果、通信品質及びスループットが悪化するという問題があった。
【０００７】
本発明は、上述した事情に鑑みてなされたものであり、同一のデータに複数のスロットを割り当てて通信を行い、各スロットを介して受信したデータのいずれか１つを受信データとして選択する場合において、従来よりも正確に正しいスロットを選択し、通信品質及びスループットの向上を図ることを目的とする。
【課題を解決するための手段】
【０００８】
上記目的を達成するために、本発明では、無線通信システムに係る第１の解決手段として、時分割多重接続方式を採用し、同一のデータに複数のスロットを割り当てて通信を行い、各スロットを介して受信したデータのいずれか１つを受信データとして選択する無線通信システムにおいて、前記データに含まれる情報符号系列とＣＲＣ(Cyclic Redundancy Check)符号系列との対応関係の全ての組み合わせを示すデータ系列情報を予め記憶する記憶手段と、前記各スロット毎に前記データを受信する受信手段と、前記データ系列情報に基づいて、前記各スロット毎に受信したデータに含まれる情報符号系列に対応するＣＲＣ符号系列を取得するＣＲＣ符号系列取得手段と、前記各スロット毎に受信したデータに含まれるＣＲＣ符号系列と前記ＣＲＣ符号系列取得手段によって取得されたＣＲＣ符号系列との信号距離を算出する第１の信号距離算出手段と、前記データ系列情報に基づいて、前記各スロット毎に受信したデータに含まれるＣＲＣ符号系列に対応する情報符号系列を取得する情報符号系列取得手段と、前記各スロット毎に受信したデータに含まれる情報符号系列と前記情報符号系列取得手段によって取得された情報符号系列との信号距離を算出する第２の信号距離算出手段と、前記第１の信号距離算出手段によって各スロット毎に算出されたＣＲＣ符号系列に関する信号距離と、前記第２の信号距離算出手段によって各スロット毎に算出された情報符号系列に関する信号距離とを各スロット毎にそれぞれ比較し、値の小さい信号距離を当該スロットの信号距離と決定する決定手段と、前記決定手段によって決定された各スロットの信号距離に基づき、当該信号距離が最も小さいスロットを介して受信したデータを受信データとして選択する選択手段とを備えることを特徴とする。
【０００９】
また、本発明では、無線通信システムに係る第２の解決手段として、上記第１の解決手段において、前記情報符号系列取得手段は、前記各スロット毎に受信したデータに含まれるＣＲＣ符号系列に対応する情報符号系列が複数存在する場合、当該複数の情報符号系列を取得し、前記第２の信号距離算出手段は、前記各スロット毎に受信したデータに含まれる情報符号系列と前記情報符号系列取得手段によって取得された複数の情報符号系列との信号距離をそれぞれ算出し、最も小さい信号距離を情報符号系列に関する信号距離とすることを特徴とする。
【００１０】
また、本発明では、無線通信システムに係る第３の解決手段として、上記第１または第２の解決手段において、前記信号距離はハミング距離であることを特徴とする。
【００１１】
また、本発明では、無線通信システムに係る第４の解決手段として、上記第１〜第３のいずれかの解決手段において、前記選択手段は、各スロット毎に受信したデータの誤り状態を判別し、全てのデータが同一の誤り状態であった場合に、前記信号距離が最も小さいスロットを介して受信したデータを受信データとして選択することを特徴とする。
【００１２】
また、本発明では、無線通信システムに係る第５の解決手段として、上記第４の解決手段において、前記選択手段は、各スロット毎に受信したデータに含まれるユニークワード及びＣＲＣ符号系列に基づいて、前記データの誤り状態を判別することを特徴とする。
【００１３】
一方、本発明では、無線通信装置に係る第１の解決手段として、時分割多重接続方式を採用し、同一のデータに複数のスロットを割り当てて通信を行い、各スロットを介して受信したデータのいずれか１つを受信データとして選択する無線通信装置において、前記データに含まれる情報符号系列とＣＲＣ(Cyclic Redundancy Check)符号系列との対応関係の全ての組み合わせを示すデータ系列情報を予め記憶する記憶手段と、前記各スロット毎に前記データを受信する受信手段と、前記データ系列情報に基づいて、前記各スロット毎に受信したデータに含まれる情報符号系列に対応するＣＲＣ符号系列を取得するＣＲＣ符号系列取得手段と、前記各スロット毎に受信したデータに含まれるＣＲＣ符号系列と前記ＣＲＣ符号系列取得手段によって取得されたＣＲＣ符号系列との信号距離を算出する第１の信号距離算出手段と、前記データ系列情報に基づいて、前記各スロット毎に受信したデータに含まれるＣＲＣ符号系列に対応する情報符号系列を取得する情報符号系列取得手段と、前記各スロット毎に受信したデータに含まれる情報符号系列と前記情報符号系列取得手段によって取得された情報符号系列との信号距離を算出する第２の信号距離算出手段と、前記第１の信号距離算出手段によって各スロット毎に算出されたＣＲＣ符号系列に関する信号距離と、前記第２の信号距離算出手段によって各スロット毎に算出された情報符号系列に関する信号距離とを各スロット毎にそれぞれ比較し、値の小さい信号距離を当該スロットの信号距離と決定する決定手段と、前記決定手段によって決定された各スロットの信号距離に基づき、当該信号距離が最も小さいスロットを介して受信したデータを受信データとして選択する選択手段とを備えることを特徴とする。
【００１４】
また、本発明では、無線通信装置に係る第２の解決手段として、上記第１の解決手段において、前記情報符号系列取得手段は、前記各スロット毎に受信したデータに含まれるＣＲＣ符号系列に対応する情報符号系列が複数存在する場合、当該複数の情報符号系列を取得し、前記第２の信号距離算出手段は、前記各スロット毎に受信したデータに含まれる情報符号系列と前記情報符号系列取得手段によって取得された複数の情報符号系列との信号距離をそれぞれ算出し、最も小さい信号距離を情報符号系列に関する信号距離とすることを特徴とする。
【００１５】
また、本発明では、無線通信装置に係る第３の解決手段として、上記第１または第２の解決手段において、前記信号距離はハミング距離であることを特徴とする。
【００１６】
また、本発明では、無線通信装置に係る第４の解決手段として、上記第１〜第３のいずれかの解決手段において、前記選択手段は、各スロット毎に受信したデータの誤り状態を判別し、全てのデータが同一の誤り状態であった場合に、前記信号距離が最も小さいスロットを介して受信したデータを受信データとして選択することを特徴とする。
【００１７】
また、本発明では、無線通信装置に係る第５の解決手段として、上記第４の解決手段において、前記選択手段は、各スロット毎に受信したデータに含まれるユニークワード及びＣＲＣ符号系列に基づいて、前記データの誤り状態を判別することを特徴とする。
【００１８】
さらに、本発明では、無線通信方法に係る解決手段として、時分割多重接続方式を採用し、同一のデータに複数のスロットを割り当てて通信を行い、各スロットを介して受信したデータのいずれか１つを受信データとして選択する無線通信方法において、前記データに含まれる情報符号系列とＣＲＣ(Cyclic Redundancy Check)符号系列との対応関係の全ての組み合わせを示すデータ系列情報を予め記憶する記憶ステップと、前記各スロット毎に前記データを受信する受信ステップと、前記データ系列情報に基づいて、前記各スロット毎に受信したデータに含まれる情報符号系列に対応するＣＲＣ符号系列を取得するＣＲＣ符号系列取得ステップと、前記各スロット毎に受信したデータに含まれるＣＲＣ符号系列と前記ＣＲＣ符号系列取得ステップによって取得されたＣＲＣ符号系列との信号距離を算出する第１の信号距離算出ステップと、前記データ系列情報に基づいて、前記各スロット毎に受信したデータに含まれるＣＲＣ符号系列に対応する情報符号系列を取得する情報符号系列取得ステップと、前記各スロット毎に受信したデータに含まれる情報符号系列と前記情報符号系列取得ステップによって取得された情報符号系列との信号距離を算出する第２の信号距離算出ステップと、前記第１の信号距離算出ステップによって各スロット毎に算出されたＣＲＣ符号系列に関する信号距離と、前記第２の信号距離算出ステップによって各スロット毎に算出された情報符号系列に関する信号距離とを各スロット毎にそれぞれ比較し、値の小さい信号距離を当該スロットの信号距離と決定する決定ステップと、前記決定ステップによって決定された各スロットの信号距離に基づき、当該信号距離が最も小さいスロットを介して受信したデータを受信データとして選択する選択ステップとを有することを特徴とする。
【発明の効果】
【００１９】
本発明によれば、同一のデータに複数のスロットを割り当てて通信を行い、各スロットを介して受信したデータのいずれか１つを受信データとして選択する場合において、従来よりも正確に正しいスロットを選択でき、通信品質及びスループットの向上を図ることが可能である。
【発明を実施するための最良の形態】
【００２０】
以下、図面を参照して本発明の一実施形態について詳細に説明する。図１に示すように、
本実施形態の無線通信システムは、基地局ＣＳと無線通信端末（以下端末と略す）ＰＳおよび図示しないネットワークから成り、基地局ＣＳと端末ＰＳは、時分割多重接続方式（ＴＤＭＡ）及び時分割複信方式（ＴＤＤ）を使用し、変調方式としてπ／４シフトＱＰＳＫ（Quadrature Phase Shift Keying）を使用して通信を行うものである。基地局ＣＳは、一定の距離間隔で複数設けられ、複数の端末ＰＳと上述したスロットダイバーシチを用いて無線通信を行う。以下では、スロットダイバーシチに使用するトラフィックチャネル用の２つのスロットの内、一方のスロットを第１ＴＣＨと称し、他方のスロットを第２ＴＣＨと称する。また、以下では、無線通信装置として基地局ＣＳを代表的に用いて説明する。
【００２１】
図２は、本実施形態における基地局ＣＳの構成ブロック図である。なお、説明の便宜上、図２では基地局ＣＳの受信機能に係わる構成を示し、送信機能に係わる構成については省略している。この図２に示すように、本基地局ＣＳは、第１の受信装置１（受信手段）、第２の受信装置２（受信手段）、スロット選択部３（選択手段）、ＣＲＣ符号系列取得部４（ＣＲＣ符号系列取得手段）、第１のハミング距離算出部５（第１の信号距離算出手段）、情報符号系列取得部６（情報符号系列取得手段）、第２のハミング距離算出部７（第２の信号距離算出手段）、記憶部８（記憶手段）、ハミング距離決定部９（決定手段）及びＡＤＰＣＭ（Adaptive Differential Pulse Code Modulation）コーデック１０を備えている。
【００２２】
また、第１の受信装置１は、第１のアンテナ１ａ、第１の受信部１ｂ及び第１のπ／４ＱＰＳＫ復調部１ｃから構成され、また、第２の受信装置２は、第２のアンテナ２ａ、第２の受信部２ｂ及び第２のπ／４ＱＰＳＫ復調部２ｃから構成されている。
【００２３】
上記第１の受信装置１は第１ＴＣＨ用の受信装置であり、第２の受信装置２は第２ＴＣＨ用の受信装置である。つまり、基地局ＣＳは、スロットと同数の受信装置を備えており、例えば上り回線及び下り回線共に４スロットずつ設けられている場合、受信装置も４つ設けられている。図２では、説明の便宜上、第１ＴＣＨ用及び第２ＴＣＨ用の受信装置のみを示し、他のスロット用の受信装置を省略している。
【００２４】
第１の受信装置１において、第１のアンテナ１ａは、端末ＰＳから上り回線の第１ＴＣＨを使用して送信されたデータ信号を受信し、当該受信したデータ信号を第１の受信部１ｂに出力する。なお、上記データ信号は、端末ＰＳ側でデジタル信号であるベースバンド信号をπ／４シフトＱＰＳＫによってデジタル変調することで生成された信号である。第１の受信部１ｂは、ＲＦ周波数帯である上記データ信号をＩＦ周波数帯に周波数変換し、第１の受信データ信号として第１のπ／４ＱＰＳＫ復調部１ｃに出力する。第１のπ／４ＱＰＳＫ復調部１ｃは、上記第１の受信データ信号をデジタル信号に復調し、第１の受信ベースバンド信号ｄ１としてスロット選択部３に出力する。
【００２５】
第２の受信装置２において、第２のアンテナ２ａは、端末ＰＳから上り回線の第２ＴＣＨを使用して送信されたデータ信号を受信し、当該受信したデータ信号を第２の受信部２ｂに出力する。なお、この第２ＴＣＨを使用して送信されたデータ信号は、上記第１ＴＣＨを使用して送信されたデータ信号と同一のベースバンド信号をπ／４シフトＱＰＳＫによってデジタル変調することで生成された信号である。第２の受信部２ｂは、ＲＦ周波数帯である上記データ信号をＩＦ周波数帯に周波数変換し、第２の受信データ信号として第２のπ／４ＱＰＳＫ復調部２ｃに出力する。第２のπ／４ＱＰＳＫ復調部２ｃは、上記第２の受信データ信号をデジタル信号に復調し、第２の受信ベースバンド信号ｄ２としてスロット選択部３に出力する。
【００２６】
スロット選択部３は、上記第１の受信ベースバンド信号ｄ１、第２の受信ベースバンド信号ｄ２及びハミング距離決定部９から入力される、第１ＴＣＨ及び第２ＴＣＨのハミング距離決定情報に基づいて、第１ＴＣＨと第２ＴＣＨとのどちらか一方のスロットを選択し、当該選択したスロットの受信ベースバンド信号をＡＤＰＣＭコーデック１０に出力する。具体的には、このスロット選択部３は、第１の受信ベースバンド信号ｄ１及び第２の受信ベースバンド信号ｄ２に含まれるＵＷ（ユニークワード）及びＣＲＣ符号系列の誤り状態を判別し、第１の受信ベースバンド信号ｄ１と第２の受信ベースバンド信号ｄ２との誤り状態が同一でない場合、図５（ａ）に示すスロット選択基準に従って、第１ＴＣＨと第２ＴＣＨのいずれか一方を選択する。また、このスロット選択部３は、上記誤り状態が同一の場合、第１の受信ベースバンド信号ｄ１と第２の受信ベースバンド信号ｄ２とをそれぞれＣＲＣ符号系列取得部４及び情報符号系列取得部６に出力すると共に、ハミング距離決定部９から入力される、第１ＴＣＨ及び第２ＴＣＨのハミング距離決定情報に基づいて、第１ＴＣＨと第２ＴＣＨとのどちらか一方のスロットを選択する。
【００２７】
ＣＲＣ符号系列取得部４は、記憶部８に予め記憶されている、端末ＰＳから送信されるデータに含まれる情報符号系列I(x)とＣＲＣ符号系列CRC(y)との対応関係の全ての組み合わせを示すデータ系列情報テーブルに基づいて、上記第１の受信ベースバンド信号ｄ１に含まれる情報符号系列I1(x)に対応するＣＲＣ符号系列CRC(１a)を取得し、当該取得したＣＲＣ符号系列CRC(１a)及び第１の受信ベースバンド信号ｄ１を第１のハミング距離算出部５に出力する。また、このＣＲＣ符号系列取得部４は、上記データ系列情報テーブルに基づいて、第２の受信ベースバンド信号ｄ２に含まれる情報符号系列I２(x)に対応するＣＲＣ符号系列CRC(２a)を取得し、当該取得したＣＲＣ符号系列CRC(２a)及び第２の受信ベースバンド信号ｄ２を第１のハミング距離算出部５に出力する。
【００２８】
図３に上記データ系列情報テーブルの一例を示す。ここで、情報符号系列I(x)とは、送信データに含まれる情報部分（例えばペイロード部分）のビットデータを指す。つまり、送信データに含まれる情報部分がｎビットであるとし、最下位ビットのデータをｂ０、最上位ビットのデータをｂｎ−１とすると、情報符号系列はI(x)＝｛ｂｎ−１、ｂｎ−２、…、ｂ０｝で表される。図３に示すように、データ系列情報テーブルには、全ビットが「０」の情報符号系列I(0)＝｛0,0,…,0｝から全ビットが「１」の情報符号系列I(２ｎ−１)＝｛1,1,…,1｝までの全ての情報符号系列I(x)が記憶されている。
【００２９】
また、ＣＲＣ符号系列CRC(y)とは、上記情報符号系列I(x)に対して算出されたＣＲＣ符号、つまり所定のＣＲＣ生成多項式の値で割り算した際の剰余分である。つまり、図３において、ＣＲＣ符号系列CRC(0)は、全ビットが「０」の情報符号系列I(0)＝｛0,0,…,0｝を所定のＣＲＣ生成多項式の値で割り算した際の剰余分であり、ＣＲＣ符号系列CRC(２ｎ−１)は、全ビットが「１」の情報符号系列I(２ｎ−１)＝｛1,1,…,1｝を上記ＣＲＣ生成多項式の値で割り算した際の剰余分である。例えば、ＣＲＣ符号系列CRC(y)のビット数を１６ビットとし、最下位ビットのデータをＢ０、最上位ビットのデータをＢ１５とすると、ＣＲＣ符号系列はCRC(y)＝｛Ｂ１５、Ｂ１４、…、Ｂ０｝で表される。また、一般的に、ＣＲＣ符号系列CRC(y)のビット数は、情報符号系列I(x)のビット数ｎと比較して非常に小さいため、ＣＲＣ符号系列CRC(0)からＣＲＣ符号系列CRC(２ｎ−１)の中で、同一のＣＲＣ符号系列CRC (y)が複数個存在することになる。
【００３０】
すなわち、ＣＲＣ符号系列取得部４は、第１の受信ベースバンド信号ｄ１に含まれる情報符号系列I1(x)と同一の情報符号系列I(x)を上記データ系列情報テーブルから検索し、当該情報符号系列I１(x)に対応するＣＲＣ符号系列CRC(y)をＣＲＣ符号系列CRC(１a)として取得し、また、第２の受信ベースバンド信号ｄ２に含まれる情報符号系列I２(x)と同一の情報符号系列I(x)を上記データ系列情報テーブルから検索し、当該情報符号系列I２(x)に対応するＣＲＣ符号系列CRC(y)をＣＲＣ符号系列CRC(２a)として取得する。
【００３１】
第１のハミング距離算出部５は、第１の受信ベースバンド信号ｄ１に含まれるＣＲＣ符号系列CRC１(y)と、ＣＲＣ符号系列取得部４によって取得されたＣＲＣ符号系列CRC(１a)とのハミング距離、つまり第１ＴＣＨのＣＲＣ符号系列に関するハミング距離Ｈｄ１(CRC)を算出し、当該ハミング距離Ｈｄ１(CRC)をハミング距離決定部９に出力する。また、この第１のハミング距離算出部５は、第２の受信ベースバンド信号ｄ２に含まれるＣＲＣ符号系列CRC２(y)と、ＣＲＣ符号系列取得部４によって取得されたＣＲＣ符号系列CRC(２a)とのハミング距離、つまり第２ＴＣＨのＣＲＣ符号系列に関するハミング距離Ｈｄ２(CRC)を算出し、当該ハミング距離Ｈｄ２(CRC)をハミング距離決定部９に出力する。
【００３２】
情報符号系列取得部６は、上記データ系列情報テーブルに基づいて、第１の受信ベースバンド信号ｄ１に含まれるＣＲＣ符号系列CRC１(y)に対応する情報符号系列I(１a)を取得し、当該取得した情報符号系列I(１a)及び第１の受信ベースバンド信号ｄ１を第２のハミング距離算出部７に出力する。また、この情報符号系列取得部６は、上記データ系列情報テーブルに基づいて、第２の受信ベースバンド信号ｄ２に含まれるＣＲＣ符号系列CRC２(y)に対応する情報符号系列I(２a)を取得し、当該取得した情報符号系列I(２a)及び第２の受信ベースバンド信号ｄ２を第２のハミング距離算出部７に出力する。
【００３３】
具体的には、情報符号系列取得部６は、第１の受信ベースバンド信号ｄ１に含まれるＣＲＣ符号系列CRC１(y)と同一のＣＲＣ符号系列CRC(y)を上記データ系列情報テーブルから検索し、当該ＣＲＣ符号系列CRC１(y)に対応する情報符号系列I(x)を情報符号系列I(１a)として取得し、また、第２の受信ベースバンド信号ｄ２に含まれるＣＲＣ符号系列CRC２(y)と同一のＣＲＣ符号系列CRC(y)を上記データ系列情報テーブルから検索し、当該ＣＲＣ符号系列CRC２(y)に対応する情報符号系列I(x)を情報符号系列I(２a)として取得する。なお、上述したように、ＣＲＣ符号系列CRC(0)からＣＲＣ符号系列CRC(２ｎ−１)の中で、同一のＣＲＣ符号系列CRC (y)が複数個存在するため、ＣＲＣ符号系列CRC１(y)またはCRC２(y)に対応する情報符号系列I(x)も複数個存在する。従って、例えばＣＲＣ符号系列CRC１(y)に対応する情報符号系列I(x)がｍ個存在する場合、ｍ個の情報符号系列｛I(１a１)、I(１a２)、・・・、I(１aｍ)｝を取得し、また、ＣＲＣ符号系列CRC２(y)に対応する情報符号系列I(x)がｋ個存在する場合、ｋ個の情報符号系列｛I(２a１)、I(２a２)、・・・、I(２aｋ)｝を取得する。
【００３４】
第２のハミング距離算出部７は、第１の受信ベースバンド信号ｄ１に含まれる情報符号系列I１(x)と、情報符号系列取得部６によって取得されたｍ個の情報符号系列｛I(１a１)、I(１a２)、・・・、I(１aｍ)｝とのハミング距離をそれぞれ算出し、当該算出によって得られたｍ個のハミング距離の内、最も小さいハミング距離を第１ＴＣＨの情報符号系列に関するハミング距離Ｈｄ１(I)とし、当該ハミング距離Ｈｄ１(I) をハミング距離決定部９に出力する。また、この第２のハミング距離算出部７は、第２の受信ベースバンド信号ｄ２に含まれる情報符号系列I２(x)と、情報符号系列取得部６によって取得されたｋ個の情報符号系列｛I(２a１)、I(２a２)、・・・、I(２aｋ)｝とのハミング距離をそれぞれ算出し、当該算出によって得られたｋ個のハミング距離の内、最も小さいハミング距離を第２ＴＣＨの情報符号系列に関するハミング距離Ｈｄ２(I)とし、当該ハミング距離Ｈｄ２(I) をハミング距離決定部９に出力する。
【００３５】
記憶部８は、上記データ系列情報テーブルを予め記憶しており、上記ＣＲＣ符号系列取得部４及び情報符号系列取得部６の要求に応じて、情報符号系列I(x) 、ＣＲＣ符号系列CRC(y)を出力する。
【００３６】
ハミング距離決定部９は、上記第１のハミング距離算出部５から得られる、第１ＴＣＨのＣＲＣ符号系列に関するハミング距離Ｈｄ１(CRC)と、上記第２のハミング距離算出部７から得られる、第１ＴＣＨの情報符号系列に関するハミング距離Ｈｄ１(I)とを比較し、値の小さい方のハミング距離を第１ＴＣＨのハミング距離Ｈｄ(第１ＴＣＨ)と決定する。また、このハミング距離決定部９は、上記第１のハミング距離算出部５から得られる、第２ＴＣＨのＣＲＣ符号系列に関するハミング距離Ｈｄ２(CRC)と、上記第２のハミング距離算出部７から得られる、第２ＴＣＨの情報符号系列に関するハミング距離Ｈｄ２(I)とを比較し、値の小さい方のハミング距離を第２ＴＣＨのハミング距離Ｈｄ(第２ＴＣＨ)と決定する。ハミング距離決定部９は、これら第１ＴＣＨ及び第２ＴＣＨのハミング距離決定情報｛Ｈｄ(第１ＴＣＨ)、Ｈｄ(第２ＴＣＨ)｝をスロット選択部３に出力する。
【００３７】
ＡＤＰＣＭコーデック１０は、上記スロット選択部３から入力される受信ベースバンド信号（第１の受信ベースバンド信号ｄ１または第２の受信ベースバンド信号ｄ２のいずれか）にＡＤＰＣＭ方式による符号化（圧縮）を行い、圧縮データ信号を外部に配設されたネットワークＮに出力する。
【００３８】
次に、上記のように構成された本基地局ＣＳにおけるスロットダイバーシチのスロット選択動作について図４のフローチャートを用いて説明する。
【００３９】
まず、スロット選択部３は、第１のアンテナ１ａ、第１の受信部１ｂ及び第１のπ／４ＱＰＳＫ復調部１ｃを介して第１ＴＣＨの第１の受信ベースバンド信号ｄ１を取得し、また、第２のアンテナ２ａ、第２の受信部２ｂ及び第２のπ／４ＱＰＳＫ復調部２ｃを介して第２ＴＣＨの第２の受信ベースバンド信号ｄ２を取得する（ステップＳ１）。
【００４０】
ここで、第１の受信ベースバンド信号ｄ１のデータ系列は、情報符号系列I１(x)＋ＣＲＣ符号系列CRC１(y)＝｛I(x)＋Ｎ１｝＋｛CRC(y)＋Ｎ２｝で表すことができる。なお、Ｎ１及びＮ２は第１ＴＣＨのノイズ系列である。つまり、端末ＰＳから送信される際の送信データ系列はI(x)＋CRC(y)で表されるが、この送信データ系列に電波伝搬に伴うノイズが加わったものが第１の受信ベースバンド信号ｄ１のデータ系列となる。同様に、第２の受信ベースバンド信号ｄ２のデータ系列は、情報符号系列I２(x)＋ＣＲＣ符号系列CRC２(y)＝｛I(x)＋Ｎ１’｝＋｛CRC(y)＋Ｎ２’｝で表すことができる。なお、Ｎ１’及びＮ２’は第２ＴＣＨのノイズ系列である。
【００４１】
そして、スロット選択部３は、第１の受信ベースバンド信号ｄ１及び第２の受信ベースバンド信号ｄ２に含まれるＵＷ（ユニークワード）とＣＲＣ符号系列にエラーがあるか否かを判別し、第１の受信ベースバンド信号ｄ１及び第２の受信ベースバンド信号ｄ２の誤り状態が同一か否かを判定する（ステップＳ２）。つまり、このステップＳ２では、図５（ａ）に示す「任意」の状態か否かを判定する。このステップＳ２において、スロット選択部３は、第１の受信ベースバンド信号ｄ１及び第２の受信ベースバンド信号ｄ２の誤り状態が同一ではないと判定した場合（「No」）、図５（ａ）に示すスロット選択基準に従って、第１ＴＣＨと第２ＴＣＨのいずれか一方を選択する（ステップＳ３）。
【００４２】
一方、ステップＳ２において、スロット選択部３は、第１の受信ベースバンド信号ｄ１及び第２の受信ベースバンド信号ｄ２の誤り状態が同一であると判定した場合（「Yes」）、つまり図５（ａ）に示す「任意」の状態であった場合、第１の受信ベースバンド信号ｄ１をＣＲＣ符号系列取得部４及び情報符号系列取得部６に出力する（ステップＳ４）。
【００４３】
ＣＲＣ符号系列取得部４は、第１の受信ベースバンド信号ｄ１に含まれる情報符号系列I1(x)＝｛I(x)＋Ｎ１｝と同一の情報符号系列I(x)を記憶部８に記憶されているデータ系列情報テーブルから検索し、当該情報符号系列I１(x)に対応するＣＲＣ符号系列CRC(y)をＣＲＣ符号系列CRC(１a)として取得し（ステップＳ５）、当該ＣＲＣ符号系列CRC(１a)及び第１の受信ベースバンド信号ｄ１を第１のハミング距離算出部５に出力する。
【００４４】
そして、第１のハミング距離算出部５は、第１の受信ベースバンド信号ｄ１に含まれるＣＲＣ符号系列CRC１(y)＝｛CRC(y)＋Ｎ２｝と、ＣＲＣ符号系列取得部４によって取得されたＣＲＣ符号系列CRC(１a)とのハミング距離、つまり第１ＴＣＨのＣＲＣ符号系列に関するハミング距離Ｈｄ１(CRC)を算出し（ステップＳ６）、当該ハミング距離Ｈｄ１(CRC)をハミング距離決定部９に出力する。ここで、ハミング距離とは、等しい文字数を有する２つの文字列の中で、対応する位置に異なる文字が存在する個数を指す。例えば、ＣＲＣ符号系列CRC１(y)＝｛1011101｝とし、CRC(１a)＝｛1001001｝とすると、ハミング距離Ｈｄ１(CRC)＝２となる。
【００４５】
続いて、情報符号系列取得部６は、第１の受信ベースバンド信号ｄ１に含まれるＣＲＣ符号系列CRC１(y) ＝｛CRC(y)＋Ｎ２｝と同一のＣＲＣ符号系列CRC(y)を上記データ系列情報テーブルから検索し、当該ＣＲＣ符号系列CRC１(y)に対応する情報符号系列I(x)を情報符号系列I(１a)として取得する。ここでは、上述したように、ＣＲＣ符号系列CRC１(y)に対応する情報符号系列I(x)が複数個存在するので、例えばＣＲＣ符号系列CRC１(y)に対応する情報符号系列I(x)がｍ個存在する場合、ｍ個の情報符号系列｛I(１a１)、I(１a２)、・・・、I(１aｍ)｝を取得し（ステップＳ７）、これら情報符号系列｛I(１a１)、I(１a２)、・・・、I(１aｍ)｝及び第１の受信ベースバンド信号ｄ１を第２のハミング距離算出部７に出力する。
【００４６】
そして、第２のハミング距離算出部７は、第１の受信ベースバンド信号ｄ１に含まれる情報符号系列I１(x) ＝｛I(x)＋Ｎ１｝と、情報符号系列取得部６によって取得されたｍ個の情報符号系列｛I(１a１)、I(１a２)、・・・、I(１aｍ)｝とのハミング距離をそれぞれ算出する。つまり、I１(x)とI(１a１)とのハミング距離を算出し、I１(x)とI(１a２)とのハミング距離を算出し、以下同様に、I１(x)とI(１aｍ)とのハミング距離を算出する。このようにして得られたｍ個のハミング距離の内、最も小さいハミング距離を第１ＴＣＨの情報符号系列に関するハミング距離Ｈｄ１(I)とし（ステップＳ８）、当該ハミング距離Ｈｄ１(I) をハミング距離決定部９に出力する。
【００４７】
ハミング距離決定部９は、上記ステップＳ６で得られた、第１ＴＣＨのＣＲＣ符号系列に関するハミング距離Ｈｄ１(CRC)と、上記ステップＳ８で得られた第１ＴＣＨの情報符号系列に関するハミング距離Ｈｄ１(I)とを比較し、値の小さい方のハミング距離を第１ＴＣＨのハミング距離Ｈｄ(第１ＴＣＨ)と決定する（ステップＳ９）。また、ハミング距離決定部９は、第１ＴＣＨのハミング距離決定情報であるＨｄ(第１ＴＣＨ)をスロット選択部３に出力する。
【００４８】
ここで、Ｈｄ１(CRC)＜Ｈｄ１(I)の場合には、ＣＲＣ符号系列CRC１(y)に誤りがある可能性が高い。つまりＣＲＣ符号系列CRC１(y)に誤りがあることで、情報符号系列｛I(１a１)、I(１a２)、・・・、I(１aｍ)｝を列挙した時に、全く異なる情報符号系列を列挙した可能性がある。また、Ｈｄ１(CRC)＞Ｈｄ１(I)の場合には、情報符号系列I1(x)に誤りがある可能性が高い。つまり、情報符号系列I1(x)に誤りがあることで、全く異なるＣＲＣ符号系列CRC(１a)を取得した可能性がある。従って、ステップＳ９のように、値の小さい方のハミング距離を第１ＴＣＨのハミング距離Ｈｄ(第１ＴＣＨ)と決定することにより、誤りがある可能性の高い符号系列のハミング距離を、以下に述べるスロット選択処理（ステップＳ１６）の基準データとして使用することができるので、スロット選択処理の精度を向上することができる。
【００４９】
次に、スロット選択部３は、上記ハミング距離決定部９から第１ＴＣＨのハミング距離決定情報Ｈｄ(第１ＴＣＨ)を取得すると、第２の受信ベースバンド信号ｄ２をＣＲＣ符号系列取得部４及び情報符号系列取得部６に出力する（ステップＳ１０）。
【００５０】
ＣＲＣ符号系列取得部４は、第２の受信ベースバンド信号ｄ２に含まれる情報符号系列I２(x)＝｛I(x)＋Ｎ１’｝と同一の情報符号系列I(x)を記憶部８に記憶されているデータ系列情報テーブルから検索し、当該情報符号系列I２(x)に対応するＣＲＣ符号系列CRC(y)をＣＲＣ符号系列CRC(２a)として取得し（ステップＳ１１）、当該ＣＲＣ符号系列CRC(２a)及び第２の受信ベースバンド信号ｄ２を第１のハミング距離算出部５に出力する。
【００５１】
そして、第１のハミング距離算出部５は、第２の受信ベースバンド信号ｄ２に含まれるＣＲＣ符号系列CRC２(y)＝｛CRC(y)＋Ｎ２’｝と、ＣＲＣ符号系列取得部４によって取得されたＣＲＣ符号系列CRC(２a)とのハミング距離、つまり第２ＴＣＨのＣＲＣ符号系列に関するハミング距離Ｈｄ２(CRC)を算出し（ステップＳ１２）、当該ハミング距離Ｈｄ２(CRC)をハミング距離決定部９に出力する。
【００５２】
続いて、情報符号系列取得部６は、第２の受信ベースバンド信号ｄ２に含まれるＣＲＣ符号系列CRC２(y) ＝｛CRC(y)＋Ｎ２’｝と同一のＣＲＣ符号系列CRC(y)を上記データ系列情報テーブルから検索し、当該ＣＲＣ符号系列CRC２(y)に対応する情報符号系列I(x)を情報符号系列I(２a)として取得する。ここでは、例えばＣＲＣ符号系列CRC２(y)に対応する情報符号系列I(x)がｋ個存在する場合、ｋ個の情報符号系列｛I(２a１)、I(２a２)、・・・、I(２aｋ)｝を取得し（ステップＳ１３）、これら情報符号系列｛I(２a１)、I(２a２)、・・・、I(２aｍ)｝及び第２の受信ベースバンド信号ｄ２を第２のハミング距離算出部７に出力する。
【００５３】
そして、第２のハミング距離算出部７は、第２の受信ベースバンド信号ｄ２に含まれる情報符号系列I２(x) ＝｛I(x)＋Ｎ１’｝と、情報符号系列取得部６によって取得されたｋ個の情報符号系列｛I(２a１)、I(２a２)、・・・、I(２aｋ)｝とのハミング距離をそれぞれ算出し、当該算出によって得られたｋ個のハミング距離の内、最も小さいハミング距離を第２ＴＣＨの情報符号系列に関するハミング距離Ｈｄ２(I)とし（ステップＳ１４）、当該ハミング距離Ｈｄ２(I) をハミング距離決定部９に出力する。
【００５４】
ハミング距離決定部９は、上記ステップＳ１１で得られた、第２ＴＣＨのＣＲＣ符号系列に関するハミング距離Ｈｄ２(CRC)と、上記ステップＳ１３で得られた第２ＴＣＨの情報符号系列に関するハミング距離Ｈｄ２(I)とを比較し、値の小さい方のハミング距離を第２ＴＣＨのハミング距離Ｈｄ(第２ＴＣＨ)と決定する（ステップＳ１５）。また、ハミング距離決定部９は、第２ＴＣＨのハミング距離決定情報であるＨｄ(第２ＴＣＨ)をスロット選択部３に出力する。
【００５５】
そして、スロット選択部３は、上記第１ＴＣＨのハミング距離決定情報Ｈｄ(第１ＴＣＨ) と、第２ＴＣＨのハミング距離決定情報Ｈｄ(第２ＴＣＨ)とに基づき、Ｈｄ(第１ＴＣＨ)がＨｄ(第２ＴＣＨ)より小さいか否かを判定する（ステップＳ１６）。このステップＳ１６において、Ｈｄ(第１ＴＣＨ)＜Ｈｄ(第２ＴＣＨ)の場合（「Yes」）、スロット選択部３は、第１ＴＣＨを選択して第１の受信ベースバンド信号ｄ１をＡＤＰＣＭコーデック１０に出力し（ステップＳ１７）、一方、Ｈｄ(第１ＴＣＨ)≧Ｈｄ(第２ＴＣＨ)の場合（「No」）、第２ＴＣＨを選択して第２の受信ベースバンド信号ｄ２をＡＤＰＣＭコーデック１０に出力する（ステップＳ１８）。
【００５６】
以上のように、本実施形態の基地局ＣＳによれば、第１ＴＣＨと第２ＴＣＨのＵＷ及びＣＲＣ符号系列の誤り状態が同じ場合に、ハミング距離が小さいスロット、つまり誤りが少ないスロットを選択するので、従来のＲＳＳＩレベルに基づいて選択する方法と比べて、正確に正しいスロットを選択することができ、その結果、通信品質の向上及びスループットの向上を図ることができる。
【００５７】
なお、上記実施形態では、符号系列間の信号距離としてハミング距離を使用したが、これに限定されず、例えばレーベンシュタイン距離などの他の信号距離を使用しても良い。
【００５８】
また、上記実施形態では、無線通信装置として基地局ＣＳを例示して説明したが、端末ＰＳにも同様な構成を採用して良い。また、基地局ＣＳや端末ＰＳ以外の他の無線通信装置であっても、本発明を適用することができる。
【００５９】
また、上記実施形態では、２つのスロットを用いたスロットダイバーシチについて説明したが、これに限らず、２つ以上の複数のスロットを用いた場合であっても、本発明を適用することができる。
【図面の簡単な説明】
【００６０】
【図１】本発明の一実施形態における無線通信システムの構成概略図である。
【図２】本発明の一実施形態における基地局ＣＳの構成ブロック図である。
【図３】本発明の一実施形態におけるデータ系列情報テーブルの説明図である。
【図４】本発明の一実施形態における基地局ＣＳの動作フローチャートである。
【図５】従来におけるスロットダイバーシチのスロット選択動作の説明図である。
【符号の説明】
【００６１】
ＣＳ…基地局、ＰＳ…無線通信端末、１…第１の受信装置、２…第２の受信装置、３…スロット選択部、４…ＣＲＣ符号系列取得部、５…第１のハミング距離算出部、６…情報符号系列取得部、７…第２のハミング距離算出部、８…記憶部、９…ハミング距離決定部、１０…ＡＤＰＣＭコーデック、１ａ…第１のアンテナ、１ｂ…第１の受信部、１ｃ…第１のπ／４ＱＰＳＫ復調部、２ａ…第２のアンテナ、２ｂ…第２の受信部、２ｃ…第２のπ／４ＱＰＳＫ復調部、Ｎ…ネットワーク
【図１】
2008109537.tif 000003
【図２】
2008109537.tif 000004
【図３】
2008109537.tif 000005
【図４】
2008109537.tif 000006
【図５】
2008109537.tif 000007